(57)【特許請求の範囲】
【請求項１】
交換不可能な第１の記録媒体に映像ソースの記録再生を行う第１の記録再生部と、
交換可能な第２の記録媒体に映像ソースの記録再生を行う第２の記録再生部と、
前記第２の記録再生部に第２の記録媒体が挿入されているか否かを検出する記録媒体検出部と、
前記第１及び第２の記録再生部間で映像ソースのコピーを行い、第１の記録媒体と第２の記録媒体との両方に前記映像ソースが記録されている状態で、前記記録媒体検出部により前記第２の記録媒体が取り出されたことが検出されると、前記第１の記録媒体上の前記映像ソースを消去あるいは上書きして、前記第１の記録媒体からの前記映像ソースの再生を防止する再生防止手段とを有することを特徴とする情報信号記録再生装置。
【請求項２】
前記第１の記録媒体は、前記第２の記録媒体に比してランダムアクセス速度の速い記録媒体であることを特徴とする請求項１記載の情報信号記録再生装置。
【請求項３】
前記第１及び第２の記録再生部間で映像ソースのコピーをする際に、前記第１の記録媒体に前記映像ソースを書き込むための書き込みアドレス、あるいは前記第１の記録媒体から前記映像ソースを読み出すための読み出しアドレスを保持し、前記映像ソースのコピー完了後に保持しているアドレスを前記再生防止手段に出力する転送制御手段を有する請求項１または２記載の情報信号記録再生装置。
【請求項４】
前記転送制御手段は、前記映像ソースにコピー禁止を示す著作権情報が付加された場合のみ前記書き込みアドレスあるいは前記読み出しアドレスを保持し、保持したアドレスを前記再生防止手段に出力することを特徴とする請求項３記載の情報信号記録再生装置。
【請求項５】
交換不可能な第１の記録媒体と交換可能な第２の記録媒体との間で映像ソースのコピーを行う情報信号記録再生方法であり、
第１の記録媒体と第２の記録媒体との間で前記映像ソースのコピーを行い、第１の記録媒体と第２の記録媒体との両方に前記映像ソースが記録されている状態で、前記第２の記録媒体が取り出されたことが検出されると、前記第１の記録媒体上の前記映像ソースを消去あるいは上書きして、前記第１の記録媒体からの前記映像ソースの再生を防止することを特徴とする情報信号記録再生方法。
【発明の詳細な説明】
【０００１】
【発明の属する技術分野】
本発明は、交換可能な記録媒体に情報信号の記録再生を行う第１の記録再生部と、交換可能でない記録媒体に情報信号の記録再生を行う第２の記録再生部とを備える情報信号記録再生装置及び情報信号記録再生方法に関する。
【０００２】
【従来の技術】
テレビジョン放送のディジタル化に伴い、ディジタルの信号形態による映像ソースをディジタルの信号形態のまま記録再生できるディジタルテープレコーダが開発され、普及しつつある。このディジタルテープレコーダは、ディジタルの信号形態で入来する映像ソースをリムーバブル（交換可能）なテープ記録媒体に長時間記録できるという特徴を有する一方、記録した映像ソースのランダムアクセスに時間を要する。
【０００３】
また、近年、ＨＤＤを用いた映像ソースの記録再生装置が出現したが、このＨＤＤを用いた記録再生装置は、記録した映像ソースのランダムアクセスを素早く行えるという特徴を有する一方、映像ソースの記録時間が短く、記録媒体がリムーバブルでないため、装置内部に設けられたディスク記録媒体に記録できる記録時間を超えて映像ソースを記録することができないという欠点があった。
【０００４】
このような状況の中、テープ記録再生装置とディスク記録再生装置との２つの記録再生装置を組み合わせた記録再生装置が開発されつつある。このような装置では、ディスク記録媒体で映像ソースの先頭部分のみを記録する一方、テープ記録媒体で映像ソースの全部を記録し、この映像ソースの視聴時には、ディスク記録媒体を用いて映像ソースの先頭部分を瞬時に再生した後にこれに続く映像ソースの残りの部分をテープ記録媒体から再生するという使用形態が考えられている。
【０００５】
また、ハードディスクの記録容量は年々増加しているため、将来的には、ディスク記録媒体に映像ソースの先頭部分のみならず、映像ソースの全部を記録し、ハードディスクの素早いランダムアクセスを生かした再生を行う一方、ディスク記録媒体上の空き領域が不足した場合には、必要に応じてテープ記録媒体に映像ソースをコピーして空き領域を確保し、この空き領域に新たな映像ソースを記録再生するという使用形態も考えられる。
【０００６】
【発明が解決しようとする課題】
ところが、以上の如く装置では、複数の記録媒体にわたり情報信号が書き込まれることによる著作権保護について何の配慮もなされていない。例えば、テープ記録媒体の形態で提供される映像ソフトを購入した場合、この映像ソフトを複数の装置内のディスク記録媒体上にコピーすることが可能であり、結果として複数の装置から購入した映像ソフトが視聴できてしまうという問題があった。
【０００７】
また、地上波放送または衛星放送、あるいはケーブル等の伝送路を介して受信し、著作権により保護される映像ソフトがディスク記録媒体上に記録されている場合、この映像ソフトを複数のテープ記録媒体上にコピーすることが可能であり、この場合も同様に、複数の装置から著作権により保護される映像ソフトが視聴できてしまうという問題があった。
【０００８】
【課題を解決するための手段】
【０００９】
以上の課題を解決するために、本発明に係る情報信号記録再生装置は、交換不可能な第１の記録媒体に映像ソースの記録再生を行う第１の記録再生部（１）と、交換可能な第２の記録媒体に映像ソースの記録再生を行う第２の記録再生部（２）と、前記第２の記録再生部（２）に第２の記録媒体が挿入されているか否かを検出する記録媒体検出部（４）と、前記第１及び第２の記録再生部（１、２）間で映像ソースのコピーを行い、第１の記録媒体と第２の記録媒体との両方に前記映像ソースが記録されている状態で、前記記録媒体検出部（４）により前記第２の記録媒体が取り出されたことが検出されると、前記第１の記録媒体上の前記映像ソースを消去あるいは上書きして、前記第１の記録媒体からの前記映像ソースの再生を防止する再生防止手段（５、６）とを有することを特徴とするものである。
【００１０】
また、前記第１の記録媒体は、前記第２の記録媒体に比してランダムアクセス速度の速い記録媒体であることを特徴とするものである。
【００１１】
また、本発明に係る情報信号記録再生装置は、
前記第１及び第２の記録再生部（１、２）間で映像ソースのコピーをする際に、前記第１の記録媒体に前記映像ソースを書き込むための書き込みアドレス、あるいは前記第１の記録媒体から前記映像ソースを読み出すための読み出しアドレスを保持し、前記映像ソースのコピー完了後に保持しているアドレスを前記再生防止手段（５、６）に出力する転送制御手段（３）を更に有することを特徴とするものである。
【００１２】
また、本発明に係る情報信号記録再生装置における前記転送制御手段（３）は、前記映像ソースにコピー禁止を示す著作権情報が付加された場合のみ前記書き込みアドレスあるいは前記読み出しアドレスを保持し、保持したアドレスを前記再生防止手段（５、６）に出力することを特徴とするものである。
【００１３】
本発明に係る情報信号記録再生方法は、交換不可能な第１の記録媒体と交換可能な第２の記録媒体との間で映像ソースのコピーを行う情報信号記録再生方法であり、第１の記録媒体と第２の記録媒体との間で前記映像ソースのコピーを行い、第１の記録媒体と第２の記録媒体との両方に前記映像ソースが記録されている状態で、前記第２の記録媒体が取り出されたことが検出されると、前記第１の記録媒体上の前記映像ソースを消去あるいは上書きして、前記第１の記録媒体からの前記映像ソースの再生を防止することを特徴とするものである。
【００１４】
【発明の実施の形態】
図１は本発明の実施例に係る情報信号記録再生装置を説明するためのブロック図であり、１はハードディスク等のリムーバブルでない記録媒体に映像ソースの記録再生を行うディスク記録再生部、２は磁気テープ等のリムーバブルな記録媒体に映像ソースの記録再生を行うテープ記録再生部、３はディスク記録再生部１とテープ記録再生部２との間で映像ソースのコピーを行う際、一方の記録再生部から再生される映像ソースを他方の記録再生部に出力すると共に、ディスク記録再生部１の書き込み及び読み出しアドレス、そしてテープ記録再生部２の読み出し位置情報に係る制御を行う転送制御部である。
【００１５】
また、４はテープ記録再生部２内に磁気テープを収納したカセットが挿入されているか否かを検出するカセット検出部、５は転送制御部３が出力するアドレス情報と、カセット検出部４が出力する検出情報とが入力され、これらの情報に基づき消去アドレス情報を出力する転送情報管理部、６は転送情報管理部５からの消去アドレス情報に基づき、ディスク記録再生部１のディスク記録媒体上に記録される映像ソースを消去する映像ソース消去部である。
【００１６】
なお、以下に説明する情報信号記録再生装置は、衛星放送等を通じて受信したディジタルの信号形態の映像ソースをディジタルの信号形態のままディスク記録媒体上あるいはテープ記録媒体上に記録可能であり、また、この映像ソースを他の記録媒体にコピーすることなく再生可能であるが、ここでは、両記録媒体間で映像ソースのコピーをする際の動作についてのみ説明する。
【００１７】
まずテープ記録媒体の形態で提供される映像ソースをディスク記録再生部１のディスク記録媒体上にコピーする際の動作を説明する。使用者が映像ソースの記録されるカセットをテープ記録再生部２に挿入すると、カセット検出部４がカセットが挿入されたことを検出し、検出情報が転送情報管理部５に出力される。
【００１８】
この状態でテープ記録媒体上の映像ソースをディスク記録媒体上へとコピーするよう使用者が指示すると、テープ記録再生部２がテープ記録媒体上に記録される映像ソースの再生を開始し、映像ソースを成す情報信号が転送制御部３を介してディスク記録再生部１に出力される。
【００１９】
その際、転送制御部３は、テープ記録媒体上における映像ソースの記録位置を検出してこれを保持しておくと共に、テープ記録再生部２から再生された映像ソースに著作権情報が付加されているか否かを検出する。つまり、コピー禁止等のフラグが付されているか否かを検出する。
【００２０】
そして、転送制御部３は、映像ソースをディスク記録媒体に書き込む際のアドレス制御を行うが、この映像ソースにコピー禁止等の著作権情報が付加されている場合には、ディスク記録再生部１で映像ソースを書き込む際のアドレスも保持しておく。
【００２１】
そして、テープ記録再生部２による映像ソースの再生及びディスク記録再生部１による映像ソースの記録が完了すると、転送制御部３内に保持していた書き込みアドレスが転送情報管理部５に出力される。この状態では、テープ記録再生部２からディスク記録再生部１への映像ソースのコピーは完了しているため、使用者は、ディスク記録媒体の素早いランダムアクセス等を利用した映像ソースの再生を行うことができる。
【００２２】
この映像ソースの再生を終えると、使用者はテープ記録再生部２から映像ソースの記録されるカセットを取り出すことになるが、その時、カセット検出部４がカセットの取り出しを検出するとこの検出情報が転送情報管理部５に出力される。そして、転送情報管理部５は保持している書き込みアドレスを消去アドレスとして映像ソース消去部６に出力し、映像ソース消去部６がディスク記録再生部１のディスク記録媒体上に記録された映像ソースを消去あるいは上書きする。
【００２３】
以上の如く、テープ記録媒体上に記録されるコピー禁止である映像ソースをディスク記録媒体にコピーすると、テープ記録再生部２内にカセットが挿入されている間は、ディスク記録再生部１からの再生が許可されるものの、カセットが取り出された時点でディスク記録再生部１から映像ソースが消去されるか、あるいは再生不能となるためテープ記録媒体の形態で提供される映像ソースの複製が作成されることを防止できる。
【００２４】
また、テープ記録再生部２からディスク記録再生部１に映像ソースを一回コピーした後に、映像ソースの記録されるテープ記録媒体を巻き戻し、ディスク記録媒体上の異なる記録領域に映像ソースを再度コピーしようとした場合、テープ記録媒体上の同一記録位置からの複数回のコピーができないよう転送制御部３がテープ記録再生部２を制御するため、このような不正なコピーも防止できる。
【００２５】
次に、ディスク記録媒体上に記録されている映像ソースをテープ記録媒体にコピーする際の動作について説明する。なお、ディスク記録媒体上に記録されている映像ソースは、例えば、衛星放送等を通じて受信した映像ソースを記録したものとする。
【００２６】
使用者がディスク記録媒体上の映像ソースをテープ記録媒体にコピーするよう指示すると、ディスク記録再生部１がディスク記録媒体上に記録される映像ソースの再生を開始し、映像ソースを成す情報信号が転送制御部３を介してテープ記録再生部２に出力される。
【００２７】
その際、転送制御部３は、ディスク記録再生部１から再生された映像ソースに著作権情報が付加されているか否かを検出し、この映像ソースにコピー禁止等の著作権情報が付加されている場合には、この映像ソースをテープ記録再生部２に出力すると共に、ディスク記録媒体から映像ソースを読み出した際のアドレスを保持しておく。
【００２８】
そして、ディスク記録再生部１による映像ソースの再生及びテープ記録再生部２による映像ソースの記録が完了すると、転送制御部３内に保持していた読み出しアドレスが転送情報管理部５に出力される。なお、この際読み出しアドレスは、転送情報管理部５に出力されるが、転送制御部３内でも保持される。
【００２９】
その後、使用者がカセットを取り出した時点で、転送情報管理部５が保持している読み出しアドレスが消去アドレスとして映像ソース消去部６に出力され、映像ソース消去部６がディスク記録再生部１のディスク記録媒体上に記録された映像ソースを消去あるいは上書きする。
【００３０】
以上の如く、ディスク記録媒体上に記録されるコピー禁止である映像ソースをテープ記録再生部２にコピーすると、カセットが取り出された時点でディスク記録媒体上の映像ソースが消去されるか、あるいは再生不能とされるためディスク記録媒体上の空き領域を増加させることができると同時に、複数の記録媒体に映像ソフトの複製が作成されることを防止できる。
【００３１】
また、ディスク記録再生部１からテープ記録再生部２に映像ソースを一回コピーした後に、ディスク記録再生部１からテープ記録媒体上の異なる記録領域に映像ソースを再度コピーしようとした場合、ディスク記録媒体上の同一記録位置からの複数回のコピーができないよう転送制御部３がディスク記録再生部１を制御するため、このような不正なコピーも防止できる。
【００３２】
また、ディスク記録再生部１からテープ記録再生部２に映像ソースをコピーした後に、テープ記録再生部２からディスク記録再生部１のディスク記録媒体上の異なる記録領域に映像ソースを再度コピーしようとしても、カセットの出し入れが行われていない期間では、ディスク記録再生部１とテープ記録再生部２との間で一方向のコピーのみを許可するよう図示しない制御手段が転送制御部２を制御するため、このようなコピーも防止できる。
【００３３】
なお、以上の説明では、テープ記録再生部２が映像ソースをディジタルの信号形態のまま記録再生する例を示したが、テープ記録再生部２で映像ソースを記録再生する際に、アナログの信号形態でこれを記録再生しても構わない。なお、その場合には、テープ記録再生部２内にディジタル信号をアナログ信号に変換する手段及びアナログ信号をディジタル信号に変換する手段、そしてその他必要な信号処理を行うための回路等を設ける必要があることは言うまでもない。
【００３４】
【発明の効果】
本発明によれば、交換不可能な第１の記録媒体と交換可能な第２の記録媒体とに映像ソースが記録されている状態で、第２の記録媒体が取り出されると、第１の記録媒体上の映像ソースが消去あるいは上書きされ、第１の記録媒体上から映像ソースの再生ができなくなるため、同一の映像ソースの複製が複数の記録媒体上に作成されることを防止できる。
【００３５】
また、第１の記録媒体は第２の記録媒体に比してランダムアクセス速度が速いため、交換不可能な第１の記録媒体と交換可能な第２の記録媒体とに映像ソースが記録されている状態で第１の記録媒体による高速ランダムアクセスの特徴を生かした再生が行えるという効果を奏する。
【００３６】
また、第２の記録媒体は、交換可能な記録媒体であるため、第１の記録媒体の空き容量が不足した際に、第１の記録媒体上の映像ソースを第２の記録媒体上に移動させることで第１の記録媒体の空き容量を増やすことができるという効果を奏する。
【図面の簡単な説明】
【図１】本発明に係る映像信号記録再生装置を説明するためのブロック図である。
【符号の説明】
１…ディスク記録再生部
２…テープ記録再生部
３…転送制御部
４…カセット検出部
５…転送情報管理部
６…映像ソース消去部
【図１】
0003724699.tif 000002